(57)【要約】【課題】本考案は、断熱パネルを屋根材裏面に配置するのに敷設作業が簡単に行え、断熱材ユニットの凹溝に温水パイプを配した融雪パネルを形成すると共に、該融雪パネル自体が屋根下地材として一体となり敷設作業効率をアップさせることを目的とする。【解決手段】本考案の屋根に敷設される融雪パネルは、長方形の構造用合板１０の長手方向の一方端及び一方端から等間隔に桟木１１が固定され、前記構造用合板１０と前記桟木１１とにより形成された凹部に発泡ポリスチレンフォーム等の断熱材１２を前記桟木１１と同高さで埋設し、前記各断熱材１２には３本の直線状の凹溝１３を備え、合計で直線状の凹溝１３を９本並列に備えた直線パネル１４と、４本の直線状の凹溝１３の一方端に連結された内側円弧１５及び外側円弧１６の曲線状の凹溝１３を並列に備えた曲線パネル１７とをそれぞれ形成する。【選択図】　図２
0003097885.tif 000002
【実用新案登録請求の範囲】
【請求項１】
長方形の構造用合板の長手方向の一方端及び一方端から等間隔に桟木が固定され、前記構造用合板と前記桟木とにより形成された凹部に発泡ポリスチレンフォーム等の断熱材を前記桟木と同高さで埋設し、前記各断熱材には複数本の直線状の凹溝を備え、該直線状の凹溝を多数本並列に備えた直線パネルと、前記凹溝のうち偶数本の直線状の凹溝の一方端に連結された内側円弧及び外側円弧の曲線状の凹溝を並列に備えた曲線パネルとをそれぞれ形成し、一端に前記曲線パネル、中央に前記直線パネル、他端に前記曲線パネルを１ユニットとして一体に連結し、それぞれの凹溝に温水パイプを敷設させたことを特徴とする融雪パネル。
【請求項２】
前記凹溝に温水パイプを敷設させた直線パネル及び曲線パネルの上面を耐候性アルミテープで被覆し、その上にトタン屋根材が載るようにしたことを特徴とする請求項１記載の融雪パネル。
【考案の詳細な説明】
【０００１】
【考案の属する技術分野】
本考案は、屋根の温水融雪装置において、断熱材ユニットの凹溝に温水パイプを配した融雪パネルに関する。
【０００２】
【従来の技術】
従来、屋根の温水融雪装置は、単に屋根材裏面に温水パイプを配設して高温水を循環させるだけであった為、融雪効率が極めて低いという問題があった。
それを改良したものとして、温水パイプの配設パターンを凹設した断熱パネルの凹設パターンに従って配設した温水パイプを備えた屋根の温水融雪装置が実開平６−４３１６６号公報として公知となっている。
【０００３】
【特許文献】
前記実開平６−４３１６６号公報は、図５に示すように、温水パイプ１９の配設パターン１７を凹設した断熱パネル１６と、該断熱パネル１６の凹設パターン１７に従って配設した温水パイプ１９を設け、該温水パイプ１９を配設してなる前記断熱パネル１６を屋根材３０裏面に配置する一方、前記温水パイプ１９に沿って前記温水パイプ１９の上側面に所定幅の金属箔テープを配設し、該金属箔テープを前記屋根材３０裏面に固着させたものである。
ところが、上記公知技術は、断熱材の厚さによっては結露の問題があり、かつ断熱パネルを屋根材裏面に配置する敷設作業が面倒であった。
【０００４】
【考案が解決しようとする課題】
そこで、本考案は、断熱パネルを屋根材裏面に配置するのに敷設作業が簡単に行え、断熱材ユニットの凹溝に温水パイプを配した融雪パネルを形成すると共に、該融雪パネル自体が屋根下地材として一体となり敷設作業効率をアップさせることを目的とする。
【０００５】
【課題を解決するための手段】
そのために、本考案の融雪パネルは、長方形の構造用合板の長手方向の一方端及び一方端から等間隔に桟木が固定され、前記構造用合板と前記桟木とにより形成された凹部に発泡ポリスチレンフォーム等の断熱材を前記桟木と同高さで埋設し、前記各断熱材には複数本の直線状の凹溝を備え、該直線状の凹溝を多数本並列に備えた直線パネルと、前記凹溝のうち偶数本の直線状の凹溝の一方端に連結された内側円弧及び外側円弧の曲線状の凹溝を並列に備えた曲線パネルとをそれぞれ形成し、一端に前記曲線パネル、中央に前記直線パネル、他端に前記曲線パネルを１ユニットとして一体に連結し、それぞれの凹溝に柔軟性温水パイプを敷設させたものである。
さらに、前記凹溝に温水パイプを敷設させた直線パネル及び曲線パネルの上面を耐候性アルミテープで被覆し、その上にトタン屋根材が載るようにしたものである。
【０００６】
【考案の実施の形態】
以下、本考案の一実施例を添付図面に基づいて説明する。
図１に示すように、屋根の温水融雪装置は、屋内に配置された温水ボイラー１から上り配管２を介して温水ヘッダー３に温水が供給され、該温水ヘッダー３から屋根に敷設された融雪パネルの温水パイプ４を循環されて冷水ヘッダー５に冷水となって戻り、該冷水ヘッダー５から冷水が下り配管６を介して前記温水ボイラー１に戻る温水循環サイクルが形成される。
なお、図１に示す温水パイプ４上面にはトタン屋根材が被覆されるが、図１ではトタン屋根材を省略して示している。
前記温水ボイラー１制御は、屋外に設置された積雪センサー７からの信号で制御装置８により行われ、又屋内に手動でＯＮ／ＯＦＦを切り換えるための制御スイッチ９を備えている。
【０００７】
本考案の屋根に敷設される融雪パネルは、図２に示すように、長方形の構造用合板１０の長手方向の一方端及び一方端から等間隔に桟木１１が固定され、図３に示すように、前記構造用合板１０と前記桟木１１とにより形成された凹部に発泡ポリスチレンフォーム等の断熱材１２を前記桟木１１と同高さで埋設し、図２に示すように、前記各断熱材１２には３本の直線状の凹溝１３を備え、合計で直線状の凹溝１３を９本並列に備えた直線パネル１４と、４本の直線状の凹溝１３の一方端に連結された内側円弧１５及び外側円弧１６の曲線状の凹溝１３を並列に備えた曲線パネル１７とをそれぞれ形成する。
【０００８】
次に、前記直線パネル１４と曲線パネル１７とを使用して融雪パネルを組立て、温水を循環させる場合を以下図面に基づいて説明する。
図２に示すように、本考案の融雪パネルは、図２下段の曲線パネル１７、図２中央の直線パネル１４、図２上段の曲線パネル１７を１ユニットとして一体に連結し、それぞれの凹溝１３に温水パイプ４を敷設させることができる。
図１に示す前記温水ボイラー１、上り配管２を介して温水ヘッダー３からの温水は、図２下段の曲線パネル１７の左端矢印から第１列目に供給され、図２中央の直線パネル１４の第１列目を経て図２上段の曲線パネル１７に送られ、図２上段の曲線パネル１７の外側円弧１６を矢印で示すように上から下へ通り再び図２中央の直線パネル１４の第４列目に戻る。
そして、図２中央の直線パネル１４から図２下段の曲線パネル１７の内側円弧１５を矢印で示すように下から上へ通り再び図２中央の直線パネル１４の第３列目に送られ、図２上段の曲線パネル１７の内側円弧１５を矢印で示すように下から上へ通り再び図２中央の直線パネル１４の第２列目に戻り、図２下段の曲線パネル１７の外側円弧１６を矢印で示すように上から下へ通り第５列目に送られる。
【０００９】
以下同様に、さらに図２中央の直線パネル１４の第５列目を経て図２上段の曲線パネル１７に送られ、図２上段の曲線パネル１７の外側円弧１６を矢印で示すように上から下へ通り再び図２中央の直線パネル１４の第８列目に戻る。
そして、図２中央の直線パネル１４から図２下段の曲線パネル１７の内側円弧１５を矢印で示すように下から上へ通り再び図２中央の直線パネル１４の第７列目に送られ、図２上段の曲線パネル１７の内側円弧１５を矢印で示すように下から上へ通り再び図２中央の直線パネル１４の第６列目に戻り、図２下段の曲線パネル１７の外側円弧１６を矢印で示すように上から下へ通り第９列目に送られる。
【００１０】
このように、図２下段の曲線パネル１７、図２中央の直線パネル１４、図２上段の曲線パネル１７を１ユニットとして一体に連結し、４本の直線状の凹溝１３の一方端に連結された内側円弧１５及び外側円弧１６の曲線状の凹溝１３を形成することにより、温水パイプ４を循環配管することができる。
そして、屋根に敷設する場合は、図３に示すように、直線パネル１４及び曲線パネル１７の上面を耐候性アルミテープ１８で被覆し、その上にトタン屋根材１９が載るようにする。
したがって、温水パイプ４の輻射熱は、耐候性アルミテープ１８に伝達され、さらにトタン屋根材１９に伝熱されるので、屋根全面に亘って均一に融雪することができる。
【００１１】
なお、他の実施例として図４に示すように、本考案の屋根に敷設される融雪パネルは、前記各断熱材１２に４本の直線状凹溝１３を備え、合計８本の直線状凹溝１３を備えた直線パネル１４と、４本の直線状の凹溝１３の一方端に連結された内側円弧１５及び外側円弧１６の曲線状の凹溝１３を並列に２個備えた曲線パネル１７とをそれぞれ形成し、曲線パネル１７、直線パネル１４、曲線パネル１７を１ユニットとして一体に連結することもできる。
【００１２】
【効果】
このように、本考案の融雪パネルは、一端に曲線パネル、中央に直線パネル、他端に曲線パネルを１ユニットとして一体に連結し、それぞれの凹溝に温水パイプを敷設させることができるので、融雪パネルを屋根下地材として又は屋根材裏面に配置するのに敷設作業が簡単に行うことができる。
また、本考案の融雪パネルは、凹溝に温水パイプを敷設させた直線パネル及び曲線パネルの上面を耐候性アルミテープで被覆し、その上にトタン屋根材が載るようにするので、温水パイプの輻射熱は耐候性アルミテープに伝達され、さらにトタン屋根材に伝熱され、屋根全面に亘って均一に融雪することができる。
【図面の簡単な説明】
【図１】温水融雪装置の斜視図である。
【図２】本考案の融雪パネルの分解斜視図である。
【図３】本考案の融雪パネルの要部断面図である。
【図４】本考案の他の融雪パネルの平面図である。
【図５】従来の温水融雪装置のパイプ配列例を示す全体斜視図である。
【符号の説明】
１　温水ボイラー
２　上り配管
３　温水ヘッダー
４　温水パイプ
５　冷水ヘッダー
６　下り配管
７　積雪センサー
８　制御装置
９　制御スイッチ
１０　構造用合板
１１　桟木
１２　断熱材
１３　凹溝
１４　直線パネル
１５　内側円弧
１６　外側円弧
１７　曲線パネル
１８　耐候性アルミテープ
１９　トタン屋根材
【図１】
0003097885.tif 000003
【図２】
0003097885.tif 000004
【図３】
0003097885.tif 000005
【図４】
0003097885.tif 000006
【図５】
0003097885.tif 000007